(57)【要約】【課題】至近距離にある被写体を照明する光源としてモニタ表示部を使用しながらも、その時点で撮像している内容を正確に視認する。【解決手段】レンズ光学系８  を有する撮像部７  がバックライトを有するモニタ表示部２  と同一方向にも対向する機構を備えたデジタルカメラ１  で、撮像部７  がモニタ表示部２  と同一の対向状態となるのを検出する角度センサ３０と、この検出結果に対応して撮像しているモニタ画像をモニタ表示部２  の画面の一部、例えば中央で表示すると共に、該画面のその他の部分、例えば周辺部の発光で被写体を照明させる制御部２１とを備える。【選択図】    図２
2004180245.tif 000002
【特許請求の範囲】
【請求項１】
自発光素子を有する表示部と撮像部が同じ方向を向くことができる機構を備えた撮像装置において、
上記表示部及び撮像部が同じ方向を向いて略同一平面上となった際にこれを検出する検出手段と、
この検出手段の検出結果に対応して、上記表示部の画面の一部で上記撮像部により撮像しているモニタ画像を表示すると共に、該画面のその他の部分の発光で被写体を照明する表示制御手段と
を具備したことを特徴とする撮像装置。
【請求項２】
上記表示制御手段は、モニタ画像を表示する一部を除く表示部のその他の部分の発光光量を可変することを特徴とする請求項１記載の撮像装置。
【請求項３】
上記表示制御手段は、モニタ画像を表示する一部を除く表示部のその他の部分の発光色を変更することを特徴とする請求項１記載の撮像装置。
【請求項４】
複数の発光パターン情報を記憶する記憶手段と、
この記憶手段に記憶される発光パターン情報から１つを選択する選択手段とをさらに具備し、
上記表示制御手段は、
上記選択手段で選択した発光パターン情報に基づいてモニタ画像を表示する一部を除く上記表示部のその他の部分の発光パターンを変更する
ことを特徴とする請求項１記載の撮像装置。
【請求項５】
上記記憶手段に記憶する発光パターン情報を追加設定する設定手段をさらに具備したことを特徴とする請求項４記載の撮像装置。
【請求項６】
自発光素子を有する表示部と撮像部が同じ方向を向くことができる機構を備えた撮像装置での撮像方法であって、
上記表示部及び撮像部が同じ方向を向いて略同一平面上となった際にこれを検出する検出工程と、
この検出工程での検出結果に対応して、上記表示部の画面の一部で上記撮像部により撮像しているモニタ画像を表示すると共に、該画面のその他の部分の発光で被写体を照明する表示制御工程と
を有したことを特徴とする撮像方法。
【請求項７】
自発光素子を有する表示部と撮像部が同じ方向を向くことができる機構を備えた撮像装置のコンピュータが実行するプログラムであって、
上記表示部及び撮像部が同じ方向を向いて略同一平面上となった際にこれを検出する検出ステップと、
この検出ステップでの検出結果に対応して、上記表示部の画面の一部で上記撮像部により撮像しているモニタ画像を表示すると共に、該画面のその他の部分の発光で被写体を照明する表示制御ステップと
をコンピュータに実行させることを特徴とするプログラム。
【請求項８】
自発光素子を有する表示部と撮像部を備えた携帯端末機器において、
撮影動作状態の時に、上記表示部の画面の一部で上記撮像部により撮像しているモニタ画像を表示すると共に、該画面のその他の部分の発光で被写体を照明する表示制御手段を具備したことを特徴とする携帯端末機器。
【発明の詳細な説明】
【０００１】
【発明の属する技術分野】
本発明は、例えばバックライト付きの液晶表示パネルをモニタ表示部として有するデジタルカメラ等の携帯端末機器、撮像装置、撮像方法及びプログラムに関する。
【０００２】
【従来の技術】
従来、アダプタなどの格別のアクセサリを使用せず、また光ファイバなどの部品増大を招くことなく、さらにはストロボを使用せずに、すでにカメラに備えられている機能品を活用してマクロ撮影用の照明光源を実現する方法として、取付角度を回転／揺動可能な液晶モニタのバックライト部を使用するようにしたものが考えられている。（例えば、特許文献１参照。）
この種のカメラでは、液晶モニタの全面で、あるいは照明効率の点により液晶モニタの液晶表示パネルからバックライト部を一時的に分離させた状態としてバックライトの全面で、マクロ位置にある被写体を照明するものとしている。
【０００３】
【特許文献１】
特開２００２−１６９１９８号公報
【０００４】
【発明が解決しようとする課題】
しかしながら、上述したように液晶モニタあるいはそのバックライトの全面を使用して光源とした場合、液晶モニタ本来の機能、すなわちその時点で撮像素子が撮像している被写体像の内容を確認することはできない。そのため、正確な構図が必要なマクロ撮影であるにも拘わらず、構図を勘に頼らざるを得ないという不具合があった。
【０００５】
本発明は上記のような実情に鑑みてなされたもので、その目的とするところは、至近距離にある被写体を照明する光源としてモニタ表示部を使用しながらも、その時点で撮像している内容を正確に視認することが可能な携帯端末機器、撮像装置、撮像方法及びプログラムを提供することにある。
【０００６】
【課題を解決するための手段】
請求項１記載の発明は、自発光素子を有する表示部と撮像部が同じ方向を向くことができる機構を備えた撮像装置において、上記表示部及び撮像部が同じ方向を向いて略同一平面上となった際にこれを検出する検出手段と、この検出手段の検出結果に対応して、上記表示部の画面の一部で上記撮像部により撮像しているモニタ画像を表示すると共に、該画面のその他の部分の発光で被写体を照明する表示制御手段とを具備したことを特徴とする。
【０００７】
このような構成とすれば、表示部の画面の一部でモニタ画像を表示しながらも、他の大部分を光源として使用して被写体を照明するため、モニタ表示部本来の機能を果たして正確な構図を得ながら同時に光源として活用することができる。
【０００８】
請求項２記載の発明は、上記請求項１記載の発明において、上記表示制御手段は、モニタ画像を表示する一部を除く表示部のその他の部分の発光光量を可変することを特徴とする。
【０００９】
このような構成とすれば、上記請求項１記載の発明の作用に加えて、例えば被写体までの距離や被写体像の明るさに対応して発光光量を可変することで常に適正な露光状態が得られる一方で、任意に発光光量を可変設定することでユーザの意図通りの露光状態を得ることができる。
【００１０】
請求項３記載の発明は、上記請求項１記載の発明において、上記表示制御手段は、モニタ画像を表示する一部を除く表示部のその他の部分の発光色を変更することを特徴とする。
【００１１】
このような構成とすれば、上記請求項１記載の発明の作用に加えて、被写体や撮影意図に応じたカラーフィルタ効果を得ることができる。
【００１２】
請求項４記載の発明は、上記請求項１記載の発明において、複数の発光パターン情報を記憶する記憶手段と、この記憶手段に記憶される発光パターン情報から１つを選択する選択手段とをさらに具備し、上記表示制御手段は、上記選択手段で選択した発光パターン情報に基づいてモニタ画像を表示する一部を除く上記表示部のその他の部分の発光パターンを変更することを特徴とする。
【００１３】
このような構成とすれば、上記請求項１記載の発明の作用に加えて、被写体を照明する輝度分布や動画撮影であれば時系列上の発光パターンを任意に選択して撮影を実行することで、よりバリエーションに富んだ表現での撮影を実現できる。
【００１４】
請求項５記載の発明は、上記請求項４記載の発明において、上記記憶手段に記憶する発光パターン情報を追加設定する設定手段をさらに具備したことを特徴とする。
【００１５】
このような構成とすれば、上記請求項４記載の発明の作用に加えて、よりユーザの撮影意図に適した露光表現による画像を撮影できる。
【００１６】
請求項６記載の発明は、自発光素子を有する表示部と撮像部が同じ方向を向くことができる機構を備えた撮像装置での撮像方法であって、上記表示部及び撮像部が同じ方向を向いて略同一平面上となった際にこれを検出する検出工程と、この検出工程での検出結果に対応して、上記表示部の画面の一部で上記撮像部により撮像しているモニタ画像を表示すると共に、該画面のその他の部分の発光で被写体を照明する表示制御工程とを有したことを特徴とする。
【００１７】
このような方法とすれば、表示部の画面の一部でモニタ画像を表示しながらも、他の大部分を光源として使用して被写体を照明するため、モニタ表示部本来の機能を果たして正確な構図を得ながら同時に光源として活用することができる。
【００１８】
請求項７記載の発明は、自発光素子を有する表示部と撮像部が同じ方向を向くことができる機構を備えた撮像装置のコンピュータが実行するプログラムであって、上記表示部及び撮像部が同じ方向を向いて略同一平面上となった際にこれを検出する検出ステップと、この検出ステップでの検出結果に対応して、上記表示部の画面の一部で上記撮像部により撮像しているモニタ画像を表示すると共に、該画面のその他の部分の発光で被写体を照明する表示制御ステップとをコンピュータに実行させることを特徴とする。
【００１９】
このようなプログラム内容とすれば、表示部の画面の一部でモニタ画像を表示しながらも、他の大部分を光源として使用して被写体を照明するため、モニタ表示部本来の機能を果たして正確な構図を得ながら同時に光源として活用することができる。
【００２０】
請求項８記載の発明は、自発光素子を有する表示部と撮像部を備えた携帯端末機器において、撮影動作状態の時に、上記表示部の画面の一部で上記撮像部により撮像しているモニタ画像を表示すると共に、該画面のその他の部分の発光で被写体を照明する表示制御手段を具備したことを特徴とする。
【００２１】
このような構成とすれば、表示部の画面の一部でモニタ画像を表示しながらも、他の大部分を光源として使用して被写体を照明するため、モニタ表示部本来の機能を果たして正確な構図を得ながら同時に光源として活用することができる。
【００２２】
【発明の実施形態】
以下本発明を静止画撮影を主体としたデジタルスチルカメラ（以下「デジタルカメラ」と略称する）に適用した場合の一実施形態について図面を参照して説明する。
【００２３】
図１（Ａ），（Ｂ）は、共に主に背面側からのデジタルカメラ１の外観構成を示すものである。このデジタルカメラ１の背面には、モニタ表示部２、十字キー３、及び決定キー４が配設される。
【００２４】
モニタ表示部２は、撮影モードではその時点で撮像している内容をモニタリングするための電子ファインダとして機能する一方で、再生モードでは記録されている画像データを再生表示する。
【００２５】
十字キー３は、各種項目を選択／更新するべく上下左右各方向キーが一体に設けられたもので、決定キー４は、上記十字キー３で選択した内容を決定して実行する。
【００２６】
デジタルカメラ１の上面には、その右端にシャッタキー５が配設される他、各種メニューキー６が配設される。
【００２７】
このデジタルカメラ１においては、シャッタキー５は２段階のストロークで動作し、一般的に「半押し」と表現されている第１段階の操作状態でＡＦ（自動合焦）、ＡＥ（自動露出）を始めとする撮影の準備を行ない、一般的に「全押し」と表現されている、より強く押圧操作した第２段階の操作状態で撮影を実行するものとする。
【００２８】
また、デジタルカメラ１の筐体左側は、上記モニタ表示部２、十字キー３、決定キー４、シャッタキー５、及び各種メニューキー６を設けたデジタルカメラ１の本体に対して、回動自在に設けられた撮像部７となっている。
【００２９】
図１（Ａ）に示す通常の撮影モードにおいては、撮像部７に刻印された矢印Ａ１に示すように筐体前方に位置する被写体を撮像するようにこの撮像部７にレンズ光学系８及びストロボ９（共にこの図１（Ａ）では示さず）が設けられる。
【００３０】
一方、該矢印Ａ１に従ってユーザが撮像部７を本体に対して１８０°回動させることで、図１（Ｂ）に示すように、撮像部７のレンズ光学系８及びストロボ９がモニタ表示部２と同一方向に対向するものとなり、このデジタルカメラ１を所持するユーザ自身を撮影する、以下「自分撮りモード」と称する撮影モード状態となる。
【００３１】
図１（Ｂ）に示すこの自分撮りモードの状態では、上記図１（Ａ）では下面に位置していた撮像部７の上面に刻印された矢印Ａ２により、撮像方向と、上記図１（Ａ）に示した通常の撮影モードに戻るための撮像部７の回動方向とを示している。
【００３２】
次に図２により上記デジタルカメラ１に内蔵される電子回路の構成について説明する。
このデジタルカメラ１は、基本モードとして撮影モードと再生モードとを切換えて設定可能である。
撮影モードでのモニタリング状態においては、モータ１１の駆動により合焦位置や絞り位置が移動される上記レンズ光学系８の撮影光軸後方に配置された固体撮像素子であるＣＣＤ１２が、タイミング発生器（ＴＧ）１３、垂直ドライバ１４によって走査駆動され、一定周期毎に結像した光像に対応する光電変換出力を１フレーム分出力する。
【００３３】
この光電変換出力は、アナログ値の信号の状態でＲＧＢの各原色成分毎に適宜ゲイン調整された後に、サンプルホールド回路１５でサンプルホールドされ、Ａ／Ｄ変換器１６でデジタルデータに変換されてカラープロセス回路１７へ出力される。
【００３４】
上記カラープロセス回路１７は、Ａ／Ｄ変換器１６から送られてくる画像のデジタルデータに対する画素補間処理及びγ補正処理を含むカラープロセス処理を行ない、デジタル値の輝度信号Ｙ及び色差信号Ｃｂ，Ｃｒを生成してＤＭＡ（Ｄｉｒｅｃｔ  Ｍｅｍｏｒｙ  Ａｃｃｅｓｓ）コントローラ１８に出力する。
【００３５】
ＤＭＡコントローラ１８は、カラープロセス回路１７の出力する輝度信号Ｙ及び色差信号Ｃｂ，Ｃｒを、同じくカラープロセス回路１７からの複合同期信号、メモリ書込みイネーブル信号、及びクロック信号を用いて一度ＤＭＡコントローラ１８内部のバッファに書込み、ＤＲＡＭインタフェース（Ｉ／Ｆ）１９を介してバッファメモリとして使用されるＤＲＡＭ２０にＤＭＡ転送出力する。
【００３６】
制御部２１は、上記輝度及び色差信号のＤＲＡＭ２０へのＤＭＡ転送終了後に、この輝度及び色差信号をＤＲＡＭインタフェース１９を介してＤＲＡＭ２０より読出し、ＶＲＡＭコントローラ２２を介してＶＲＡＭ２３に書込む。
【００３７】
デジタルビデオエンコーダ２４は、上記輝度及び色差信号をＶＲＡＭコントローラ２２を介してＶＲＡＭ２３より定期的に読出し、これらのデータを元にビデオ信号を発生して上記モニタ表示部２に出力する。
【００３８】
モニタ表示部２は、例えばバックライト付のカラー液晶表示パネルとそれらの各駆動回路とで構成され、撮影モード時には電子ファインダとして機能する。  すなわちモニタ表示部２は、デジタルビデオエンコーダ２４からのビデオ信号に基づいた表示を行なうことで、その時点でＶＲＡＭコントローラ２２から取込んでいる画像情報に基づく画像（以下「スルー画像」とも称する）を表示する。
【００３９】
なお、モニタ表示部２のバックライトは上記制御部２１の制御の下に動作するバックライトコントローラ２５により駆動制御される。
【００４０】
このようにモニタ表示部２にその時点でのスルー画像をリアルタイムに表示させている状態で、静止画撮影を行ないたいタイミングでキー入力部２６を構成する複数のキー中の上記シャッタキー５を操作すると、トリガ信号を発生する。
【００４１】
制御部２１は、このトリガ信号に応じてその時点でＣＣＤ１２から取込んでいる１フレーム分の輝度及び色差信号のＤＲＡＭ２０へのＤＭＡ転送の終了後、直ちにＣＣＤ１２からＤＲＡＭ２０への経路を停止し、記録保存の状態に遷移する。
【００４２】
この記録保存の状態では、制御部２１がＤＲＡＭ２０に書込まれている１フレーム分の輝度及び色差信号をＤＲＡＭインタフェース１９を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路２７に書込み、このＪＰＥＧ回路２７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４３】
そして、得た符号データを１フレームのデータファイルとして該ＪＰＥＧ回路２７から読出し、このデジタルカメラ１の記録媒体として着脱自在に装着される、不揮発性メモリであるフラッシュメモリを封入したメモリカード２８に書込む。
【００４４】
そして、１フレーム分の輝度及び色差信号の圧縮処理及びメモリカード２８への全圧縮データの書込み終了に伴なって、制御部２１はＣＣＤ１２からＤＲＡＭ２０への経路を再び起動する。
【００４５】
以上が基本的な静止画撮影の一連の処理に基づく各構成回路の役割であり、例えばモーションＪＰＥＧなどと称される規格に従って時間的に連続した静止画撮影を実行する場合や動画撮影を実行する場合には、これを連続して実行するも可能であるものとする。
【００４６】
上記キー入力部２６は、上記シャッタキー５の他に、十字キー３、決定キー４、シャッタキー５、及び各種メニューキー６を含むもので、そのキー操作信号は直接上記制御部２１に送出される。
【００４７】
なお、制御部２１にはさらに、ストロボ制御部２９及び角度センサ３０が接続される。
ストロボ制御部２９は、通常の撮影モードでの必要時に、メインコンデンサＣへの充電に基づいて、ストロボ９のキセノン管でなるストロボランプ９ａを閃光駆動させる。
【００４８】
角度センサ３０は、上記レンズ光学系８、ストロボ９、モータ１１、及びＣＣＤ１２を含む上記撮像部７の回動角度を検出するためのもので、特に撮像部７が上記図１（Ｂ）に示した如く、デジタルカメラ１本体の背面側にレンズ光学系８及びストロボ９が対向する自分撮り撮影モードの状態となった時点で上記制御部２１へ検出信号を送出する。
【００４９】
次に上記実施形態の動作について説明する。
図３は、基本モードとして撮影モードが選択されている状態で制御部２１が動作プログラムに基づいて実行する、主として自分撮りモード時の処理内容を示すものである。
【００５０】
その動作当初には、撮像部７のレンズ光学系８がモニタ表示部２と同一の対向方向となる、自分撮りモードとなったか否かを、上記角度センサ３０からの検出信号の有無により判断する（ステップＡ０１）。
【００５１】
自分撮りモードとなっていないと判断した場合には、通常の撮影モードでの撮影処理を実行するが（ステップＡ０２）、本実施形態ではその詳細な説明については省略する。
【００５２】
また、上記ステップＡ０１で角度センサ３０からの検出信号により自分撮りモードとなったと判断した場合には、自分撮りモードの設定としてストロボ９を用いての撮影を禁止し、代わってそれまでモニタ表示部２の画面全体を使用してスルー画像を表示していた状態から、モニタ表示部２の中央の一部のみを使用してさらに撮影画像を縮小して表示する状態に移行する（ステップＡ０３）。
【００５３】
図５（Ａ）は、そのようなモニタ表示部２での表示状態を例示するものである。図示する如くモニタ表示部２の中央でスルー画像ＴＩを表示する一方で、その他の周辺部分はモニタ表示部２を構成する液晶表示パネルを全透過状態とし、バックライトを構成する光源である例えば冷陰極管の白色光源からの発光を、そのまま被写体であるこのデジタルカメラ１のユーザに向けて照射する。
【００５４】
このようにモニタ表示部２で表示及び被写体への照明を実行している状態で、キー入力部２６のシャッタキー５が半押し操作されたか否かを判断し（ステップＡ０４）、半押し操作されなければ上記ステップＡ０１からの処理に戻ることで、ステップＡ０１，Ａ０３，Ａ０４の処理を繰返し実行することで、シャッタキー５が半押し操作されるのを待機する。
【００５５】
しかして、シャッタキー５が半押し操作されたと判断した時点で、ＡＦ処理及びＡＥ処理をそれぞれ実行して合焦値及び露光値をロックする（ステップＡ０５，Ａ０６）。
【００５６】
次いで、後述する「見栄え設定」と称するモニタ表示部２の周辺部の特定パターンの発光設定がなされているか否か判断する（ステップＡ０７）。
ここで見栄え設定がなされていないと判断した場合には、それまでと同様に、モニタ表示部２のスルー画像を表示している中央部を除いた周辺部で、一様な白色発光により被写体を照明する（ステップＡ０８）。
【００５７】
また、ステップＡ０７で見栄え設定がなされていると判断した場合には、その設定されている内容に従ってモニタ表示部２の周辺部を特定パターンで発光させて被写体を照明する（ステップＡ０９）。
【００５８】
このようにモニタ表示部２の中央部でスルー画像を表示しながら、同周辺部での発光により被写体を照明している状態で、さらにキー入力部２６のシャッタキー５が全押し操作されたか否かを判断し（ステップＡ１０）、全押し操作されなければ、まだシャッタキー５の半押し操作状態が維持されていることを確認する（ステップＡ１１）、という処理を繰返し実行することにより、シャッタキー５が全押し操作されるのを待機する。
【００５９】
しかして、シャッタキー５の近押し操作状態が解除された場合、ステップＡ１１でこれを判断して、再び上記ステップＡ０１からの処理に戻る。
【００６０】
また、シャッタキー５が全押し操作された場合には上記ステップＡ１０でこれを判断し、その自分撮りモードでの照明環境下で撮影を実行し、得た画像データをメモリカード２８に記録した上で（ステップＡ１２）、再び次の撮影のために上記ステップＡ０１からの処理に戻る。
【００６１】
このように、モニタ表示部２の画面の一部、例えば中央でその時点で撮像しているスルー画像を表示しながらも、他の大部分、例えば周辺部を光源として使用して被写体を照明するようにした。
【００６２】
そのため、撮像部７のレンズ光学系８をモニタ表示部２と同一の対向方向としている状態に限っては、モニタ表示部２本来の機能を果たして正確な構図を得ながら、同時に光源として活用することができる。
【００６３】
なお、上記図５（Ａ）の説明では、モニタ表示部２の液晶表示パネルを全透過状態とし、バックライトの光源からの発光をそのまま被写体に向けて照射するものとして説明したが、バックライトの駆動電圧を制御するか、あるいは液晶表示パネルの上記周辺部をグレー表示するものとしてその濃度（黒成分の度合い）を増減することにより、発光光量を調整するものとしてもよい。
【００６４】
そうすることにより、例えば被写体までの距離や被写体像の明るさに対応して発光光量を可変すれば、常に適正な露光状態が得られることになる一方で、あえてそれらに関係なくユーザが光量を任意調整することで、ユーザの意図通りの露光状態を得ることもできる。
【００６５】
次いで、図４により上記した自分撮りモードでの撮影処理を実行する前に、モニタ表示部２の周辺部を特定パターンで発光させるためにユーザ自らが選択設定しておくべき見栄え設定の処理内容について説明する。
【００６６】
なお、ここで見栄え設定の内容としては、予めデジタルカメラ１の制御部２１内のメモリに予め固定記憶されているデフォルトのものと、デジタルカメラ１のユーザ自身が発光パターン内容をマニュアルで作成して設定するユーザ設定のものとがあるものとし、デフォルトのものは削除することができないが、ユーザ設定のものに関しては一旦作成して設定した後に、ユーザが必要により任意に削除できるものとする。
【００６７】
図４は、キー入力部２６の各種メニューキー６と十字キー３、及び決定キー４を操作して実行する、ユーザ設定項目のうちの１つであり、その当初には見栄え設定の内容を新規に入力設定するか否かを判断する（ステップＢ０１）。
【００６８】
新規設定するのではないと判断した場合、すでに設定されているものの中から選択することになるので、すでに設定されている見栄え設定の名称を一覧表示させ、併せてそのうちの１つ、例えば先頭にあるものをカーソルにより指定して反転表示するなどして選択を促す表示状態としながら（ステップＢ０７）、カーソルで指定されているものが決定キー４の操作により選択されたか否か（ステップＢ０８）、あるいは十字キー３の操作により他のものを指定するか否か（ステップＢ０９）を繰返し判断することで、決定キー４または十字キー３のキー操作を待機する。
【００６９】
十字キー３のキー操作があった場合、ステップＢ０９でこれを判断し、その操作された方向に対応してカーソル指定位置を移動させ、あるいは必要により一覧表示している範囲をスクロールするなどした後に（ステップＢ１０）、再び上記ステップＢ０７からの処理に戻る。
【００７０】
そして、カーソルで指定されている内容に対して決定キー４の操作があった場合には上記ステップＢ０８でこれを判断し、次にその選択された見栄え設定がユーザ設定されたものであるか否かを判断する（ステップＢ１１）。
【００７１】
ユーザ設定されたものであると判断した場合には、その内容を削除することも可能であるので、例えばモニタ表示部２で
「この「ユーザ設定○」は削除することもできます」
削除しますか  はい  いいえ」
のように削除が可能であることと削除するか否かの選択を促すガイドメッセージを表示し（ステップＢ１３）、その表示に対する応答操作により削除が選択されたか否かを判断する（ステップＢ１４）。
【００７２】
そして、削除が選択されたと判断した場合には、その選択指示に従って当該ユーザ設定の内容を削除設定し（ステップＢ１５）、以上でこの図４の処理を一旦終了する。
【００７３】
また、上記ステップＢ１１で選択された内容がユーザ設定されたものではないと判断した場合、及び上記ステップＢ１４で削除が選択されなかったと判断した場合には、選択した内容に基づいた見栄え設定が次の自分撮りモードで実行されるように設定した上で（ステップＢ１２）、この図４の処理を終了し、上記図３のステップＡ０９で当該設定に基づくモニタ表示部２の発光表示が実行されるのを待機する。
【００７４】
なお、上記ステップＢ０１で見栄え設定の内容を新規に入力設定するものであると判断した場合には、予め用意されている手順に従ってこのデジタルカメラ１のユーザにより新規に見栄え設定の入力処理を順次実行し（ステップＢ０２）、入力設定が終了した時点でその内容がすでに設定されている他のものと同一でないことを確認する（ステップＢ０３）。
【００７５】
同一の内容の見栄え設定がすでにある場合には、その既存の設定名を挙げて内容が重複している旨をガイドメッセージにて表示した上で（ステップＢ０６）、一旦この図４の処理を終了する。
【００７６】
また、ステップＢ０３で同一の内容の見栄え設定がないことを確認すると、その設定内容に対応する、例えば「ユーザ設定○」のような設定名を付して制御部２１内のメモリに追加記憶させた上で（ステップＢ０４）、この記憶された見栄え設定が次の自分撮りモードで実行されるように設定した上で（ステップＢ０５）、この図４の処理を終了し、上記図３のステップＡ０９で当該設定に基づくモニタ表示部２の発光表示が実行されるのを待機する。
【００７７】
図５（Ｂ），（Ｃ）、図６は上記図４の処理で選択し、あるいはユーザ設定する見栄え設定に基づくモニタ表示部２での発光パターンを具体的に例示するものである。
【００７８】
図５（Ｂ）は、モニタ表示部２の中央部に表示したスルー画像ＴＩを除く周辺部の上側から下側に向かって徐々に発光輝度を下げるように設定した場合について示すものである。
【００７９】
この場合、モニタ表示部２の発光素子であるバックライトはその全面で一様に明るくなるように発光駆動する一方で、液晶表示パネルにより上記周辺部の上側ではバックライトの発光を全透過させ、徐々に下部に下がるに従って透過率も下がるようにグレーのグラデーション表示を行なうことで、上述したような発光パターンが実現できる。
【００８０】
このような見栄え設定によるモニタ表示部２での発光を実行することにより、特に被写体であるこのデジタルカメラ１のユーザ自身に対して、あたかもその上方に光源があるような、きわめて自然な配向パターンを得ることができる。
【００８１】
図５（Ｃ）は、モニタ表示部２の中央部に表示したスルー画像ＴＩを除く周辺部の全体で、１つの色を表示するように設定した場合について示すものである。
【００８２】
この場合、モニタ表示部２の発光素子であるバックライトはその全面で一様に明るくなるように発光駆動する一方で、液晶表示パネルにより上記周辺部の全体で特定の色、例えば蛍光灯などの白色光源環境下では顔色が青白く写ってしまいがちであるので、これを補正するように赤あるいはピンクを表示することで、肌がきれいに写るように色調を変えることができる。
【００８３】
このようにユーザの設定に応じて任意の色を表示して補助光源とすることにより、被写体や撮影意図に応じたカラーフィルタ効果を得ることができる。
なお、モニタ表示部２の周辺部で表示させる色については任意に設定可能であるものの、暗色を用いた場合には被写体に照射される光量が低下してしまうため、できるだけ明色であることが望ましい。
【００８４】
図６（Ａ），（Ｂ）は、特にモーションＪＰＥＧや動画のように時間的に連続した複数の画像を撮影する場合の、モニタ表示部２の中央部に表示したスルー画像ＴＩを除く周辺部での表示状態について示すものである。
【００８５】
この場合、モニタ表示部２の発光素子であるバックライトはその全面で一様に明るくなるように発光駆動する一方で、液晶表示パネルにより上記周辺部全体が、時間の経過に連れて徐々に透過率が下がるように黒成分が増加するようなグレー表示を行なうことで、フェイドアウト効果の発光パターンを実現できる。
【００８６】
このような時間的に連続した画像の撮影に伴って、見栄え設定によるモニタ表示部２での発光を実行することにより、ユーザの撮影意図に対応した多様な表現の連続画像を得ることができる。
【００８７】
なお、上記図６では時間的に連続した画像の撮影に際して、モニタ表示部２の周辺部での発光輝度を徐々に変化させるものとして説明したが、本発明はこれに限らず、モニタ表示部２の液晶表示パネルでの色表示を可変するようにして光源の色が時間の経過に連れて変化するものとしてもよい。
【００８８】
これらのように、被写体を照明する輝度分布や色、さらに時間的に連続した撮影であれば時系列上の発光パターンを任意に選択して撮影を実行することで、よりバリエーションに富んだ表現での撮影を実現できる。
【００８９】
加えて、上記図４に示した如く、デジタルカメラ１のユーザ自らがモニタ表示部２の周辺部での位置、色、及び時間に対応した発光パターンを任意に追加設定できるものとしたため、よりユーザの撮影意図に適した露光表現による画像を撮影できる。
【００９０】
なお、上記実施形態はデジタルカメラに適用した場合について説明したものであるが、例えば、カメラ付き携帯電話端末に適用した場合も同じである。
【００９１】
図７にカメラ付き携帯電話端末４０の外観構成を示す。同図中、レンズ部４１と表示部４３は図示していないが反対側の面にも備えていても良い。
【００９２】
このカメラ付き携帯電話端末４０において、撮影モードまたは自分撮りモードでは、ＣＣＤやＣ−ＭＯＳを備えたレンズ部４１から画像を取込んで表示部４３にスルー画像として表示する。シャッタボタン４４を押すことにより撮影がなされ、画像が取込まれて、筐体内部の図示しないメモリに記憶される。そして、再生モードにおいて、表示部４３に記憶した画像を再生表示する。
【００９３】
上記撮影モードまたは自分撮りモードにおいて、上記図５（Ａ）に示したように表示部４３の中央でスルー画像を表示する一方で、その他の周辺部分は表示部４３を構成する液晶表示パネルを全透過状態とし、バックライトを構成する光源である例えば冷陰極管やＬＥＤ、ＥＬなどの光源からの発光を、そのまま被写体であるこの携帯電話端末４０のユーザに向けて照射する。
【００９４】
以上のように上記実施形態をカメラ付き携帯電話端末に適用することも可能であり、上記実施形態と同様の効果が得られる。
【００９５】
その他、本発明はこれに限らず、ビデオムービーカメラやパソコンなどカメラ機能を有する携帯端末、その他、撮影部と自発光素子を有する表示部とを有する機器であれば、いずれにも適用可能であることは勿論である。  その他、本発明は上記実施形態に限らず、その要旨を逸脱しない範囲内で種々変形して実施することが可能であるものとする。
【００９６】
さらに、上記実施形態には種々の段階の発明が含まれており、開示される複数の構成要件における適宜な組合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００９７】
【発明の効果】
請求項１記載の発明によれば、表示部の画面の一部でモニタ画像を表示しながらも、他の大部分を光源として使用して被写体を照明するため、モニタ表示部本来の機能を果たして正確な構図を得ながら同時に光源として活用することができる。
【００９８】
請求項２記載の発明によれば、上記請求項１記載の発明の効果に加えて、例えば被写体までの距離や被写体像の明るさに対応して発光光量を可変することで常に適正な露光状態が得られる一方で、任意に発光光量を可変設定することでユーザの意図通りの露光状態を得ることができる。
【００９９】
請求項３記載の発明によれば、上記請求項１記載の発明の効果に加えて、被写体や撮影意図に応じたカラーフィルタ効果を得ることができる。
【０１００】
請求項４記載の発明によれば、上記請求項１記載の発明の効果に加えて、被写体を照明する輝度分布や動画撮影であれば時系列上の発光パターンを任意に選択して撮影を実行することで、よりバリエーションに富んだ表現での撮影を実現できる。
【０１０１】
請求項５記載の発明によれば、上記請求項４記載の発明の効果に加えて、よりユーザの撮影意図に適した露光表現による画像を撮影できる。
【０１０２】
請求項６記載の発明によれば、表示部の画面の一部でモニタ画像を表示しながらも、他の大部分を光源として使用して被写体を照明するため、モニタ表示部本来の機能を果たして正確な構図を得ながら同時に光源として活用することができる。
【０１０３】
請求項７記載の発明によれば、表示部の画面の一部でモニタ画像を表示しながらも、他の大部分を光源として使用して被写体を照明するため、モニタ表示部本来の機能を果たして正確な構図を得ながら同時に光源として活用することができる。
【０１０４】
請求項８記載の発明によれば、表示部の画面の一部でモニタ画像を表示しながらも、他の大部分を光源として使用して被写体を照明するため、モニタ表示部本来の機能を果たして正確な構図を得ながら同時に光源として活用することができる。
【図面の簡単な説明】
【図１】本発明の一実施形態に係るデジタルカメラの主として背面側の外観構成を斜視図。
【図２】同実施形態に係る回路構成を示すブロック図。
【図３】同実施形態に係る主として自分撮り撮影モード時の処理内容を示すフローチャート。
【図４】同実施形態に係る見栄え設定の処理内容を示すフローチャート。
【図５】同実施形態に係るモニタ表示部での表示状態を例示する図。
【図６】同実施形態に係るモニタ表示部での時間的に連続した表示状態を例示する図。
【図７】本発明をカメラ付き携帯電話端末に適用した場合の外観構成を示す斜視図。
【符号の説明】
１…デジタルカメラ
２…モニタ表示部
３…十字キー
４…決定キー
５…シャッタキー
６…各種メニューキー
７…撮像部
８…レンズ光学系
９…ストロボ
１１…モータ
１２…ＣＣＤ
１３…タイミング発生器（ＴＧ）
１４…垂直ドライバ
１５…サンプルホールド回路（Ｓ／Ｈ）
１６…Ａ／Ｄ変換器
１７…カラープロセス回路
１８…ＤＭＡコントローラ
１９…ＤＲＡＭインタフェース（Ｉ／Ｆ）
２０…ＤＲＡＭ
２１…制御部
２２…ＶＲＡＭコントローラ
２３…ＶＲＡＭ
２４…デジタルビデオエンコーダ
２５…バックライトコントローラ
２６…キー入力部
２７…ＪＰＥＧ回路
２８…メモリカード
２９…ストロボ制御部
３０…角度センサ
４０…カメラ付き携帯電話端末
４１…レンズ部
４２…マイク
４３…表示部
４４…シャッタボタン
４５…各種キー
４６…スピーカ
４７…ヒンジ部
Ｃ…（ストロボ）メインコンデンサ
【図１】
2004180245.tif 000003
【図２】
2004180245.tif 000004
【図３】
2004180245.tif 000005
【図４】
2004180245.tif 000006
【図５】
2004180245.tif 000007
【図６】
2004180245.tif 000008
【図７】
2004180245.tif 000009